(57)【要約】本発明は、置換基Ｒの少なくとも１個が−Ｏ・であり、その他が水素又はＯＨであり；Ｘが−ＮＲ1Ｎ2である、式（Ｉ）の安定なフリーニトロキシルラジカル〔式中、Ｒ1及びＲ2は独立に水素、Ｃ1−Ｃ18アルキル、又はそれら結合がする窒素原子と一緒になって、Ｏ原子によりさらに中断されていてもよい５〜６員環を形成している〕に関する。本発明のさらなる主題は、式（Ｉ）の化合物の存在下でのアルコールからアルデヒド若しくはケトンへの、又はアルコールからカルボン酸への酸化法、ならびに式（Ｉ）の安定なフリーニトロキシルラジカルの酸化触媒としての使用である。
2004524296.tif 000002
【特許請求の範囲】
【請求項１】
式（Ｉ）：
【化１】
2004524296.tif 000012
〔式中、
置換基Ｒの少なくとも１個が−Ｏ・であり、その他が水素又はＯＨであり；
Ｘは−ＮＲ1Ｒ2であり、Ｒ1及びＲ2は独立に水素、Ｃ1〜Ｃ18アルキルであるか、又はそれらが結合している窒素原子と一緒になって、Ｏ原子によりさらに中断されていてもよい５〜６員環を形成しており；
ＨＹは有機又は無機酸であり；
ｎは０、又は１〜４の数である〕
の化合物。
【請求項２】
Ｘが、式（II）又は（III）：
【化２】
2004524296.tif 000013
の構造要素である、請求項１記載の化合物。
【請求項３】
ｎが０であり、少なくとも２つの置換基Ｒが−Ｏ・である、請求項１記載の化合物。
【請求項４】
酸化剤によるアルコールからケトン若しくはアルデヒドへの、又はアルコールからカルボン酸への選択的酸化法であって、式（Ｉ）の均一系又は不均一系酸化触媒の存在下、酸化を実施することを含む方法。
【請求項５】
中性又はアルカリ条件下、過酢酸、Ｈ2Ｏ2、ハイポハライト、ハライト、ハライド及び酸素自体若しくはそれらの組合せによるか、又はＣｕ（Ｉ）、Ｃｕ（II）、Ｒｕ（II）、Ｃｏ（II）、Ｍｎ（II）及びそれらの混合物などの金属イオンと酸化剤としての酸素による、請求項４記載のアルコールからケトン若しくはアルデヒドへの、又はアルコールからカルボン酸への選択的酸化法であって、
式（Ｉ）の均一系又は不均一系酸化触媒の存在下、酸化を実施することを含む方法。
【請求項６】
用いるアルコールに基づいて、０．１〜２０重量％の量で酸化触媒を加えることを含む、請求項５記載の方法。
【請求項７】
中性又はアルカリ性条件下、ＬｉＯＣｌ、ＮａＯＣｌ、ＫＯＣｌ、ＬｉＯＢｒ、ＮａＯＢｒ又はＫＯＢｒから選択されるアルカリハイポハライトにより酸化を実施することを含む、請求項５記載の方法。
【請求項８】
３０℃未満の温度及び７〜１２のpHで反応を実施することを含む、請求項５記載の方法。
【請求項９】
アルコールからケトン若しくはアルデヒドへの、又はアルコールからカルボン酸への選択的酸化のための触媒としての式（Ｉ）の化合物の使用。
【請求項１０】
制御されたフリーラジカル重合における重合調節剤、芳香族ビニルモノマーの蒸留又は精製における重合阻害剤、又は難燃剤としての式（Ｉ）の化合物の使用。
【発明の詳細な説明】
【技術分野】
【０００１】
本発明は、安定なフリーニトロキシルラジカルに関する。安定なフリーニトロキシルラジカルは、例えばビニル芳香族モノマーが蒸留中又は精製中に時期尚早に重合するのを防止する安定化剤として、制御されたラジカル重合法における重合調節剤として、不均一及び均一な酸化反応における酸化触媒として、様々な産業上の応用において有用である。これらは、酸化剤としてアルカリハイポハライトを用いる、アルコールからアルデヒド若しくはケトンへの、又はアルコールからカルボン酸への選択的酸化のための触媒として、特に有用である。したがって、酸化法及び酸化触媒としてのこれらの安定なフリーニトロキシルラジカルの使用も、本発明の主題である。
【０００２】
酸化法においては、選択性が最も重要である。一般的には、分子中に存在する別の官能基、例えば二重結合などが、選択された条件下で影響を受けてはならない。第一級アルコール基のそばの第二級アルコール基の酸化を目的とする場合、又はその逆の場合、それぞれの他の官能基に影響を与えることなく酸化することがしばしば所望される。第一級アルコールからアルデヒドを合成するとき、酸化反応の副産物としてカルボン酸がしばしば形成され（過−酸化）、１，２−ジオール又はα―ヒドロキシケトンはしばしばＣ−Ｃ開裂反応を伴う。
【０００３】
第一級及び第二級アルコールは、触媒量の有機ニトロキシルラジカルの存在下、次亜塩素酸ナトリウム水溶液を用いて、相当するカルボニル化合物に変換可能であることが知られている（A. E. J. de Nooy, A. C. Besemer, H. van Bekkum, Synthesis, 1996,1153）。
【０００４】
また、ニトロキシルラジカル（２，２，６，６−テトラメチルピペリジン−１−オキシル、ＴＥＭＰＯ）の存在下、Ｃｕ（Ｉ）及び酸素によりアルコールを酸化できることも知られている。これは、例えば、Semmelhack, M. F.; Schmid, Christopher R.; Cortes, David A.; Chou,Chuen Sにより報告されている。ニトロソニウムイオンが媒介する酸素及び第二銅イオンによるアルコールのアルデヒドへの酸化は、J. Am. Chem.Soc. (1984), 106 (11), 3374-6に掲載されている。
【０００５】
これまで、そのような反応は、特に２，２，６，６−テトラメチルピペリジン−１−オキシル（ＴＥＭＰＯ）が用いられていたときは、主として均一相で実施されてきた。反応は、ＴＥＭＰＯ又は結果として得られる酸化生成物に関して化学量論的又は触媒的に行われていた。このような方法において反応生成物を処理することは、触媒及びその付随生成物を除去するために多大な努力を要することから、熟練を要し複雑であることが明らかにされている。
【０００６】
驚いたことに、特定の環状オリゴマー安定フリーニトロキシルラジカルは、均一系及び不均一系の酸化反応において理想的な触媒であり、反応生成物から容易に除去することができることがここに明らかになった。
【０００７】
さらに、本発明の化合物は、高い触媒活性及び優れた選択性を有する。
【０００８】
発明の１つの主題は、したがって、式（Ｉ）：
【０００９】
【化３】
2004524296.tif 000003
【００１０】
〔上記式中、
置換基Ｒの少なくとも１個が−Ｏ・であり、その他が水素又はＯＨであり；
Ｘは−ＮＲ1Ｒ2であり、Ｒ1及びＲ2は独立に水素、Ｃ1〜Ｃ18アルキルであるか、又はそれらが結合している窒素原子と一緒になって、Ｏ原子によりさらに中断されていてもよい５〜６員環を形成しており；
ＨＹは有機又は無機酸であり；
ｎは０、又は１〜４の数である〕
の化合物である。
【００１１】
Ｘが、式（II）又は（III）の構造要素であることが好ましい。
【００１２】
【化４】
2004524296.tif 000004
【００１３】
最も好ましいのは、Ｘが式（II）である。
【００１４】
置換基Ｒの少なくとも２個が−Ｏ・である式（Ｉ）の化合物が好ましく、置換基Ｒの５０〜１００％が−Ｏ・であるのがさらに好ましい。
【００１５】
ＨＹが、ハロゲン含有無機プロトン酸、リン含有無機酸、硫黄含有無機酸、Ｃ1〜Ｃ4アルキルカルボン酸、又はペルフルオロＣ1〜Ｃ4アルキルカルボン酸又は芳香族カルボン酸からなる群より選択されることが好ましい。さらに好ましくは、ＨＹは、ＨＣｌ、ＨＣｌＯ4、ＨＢｒ、ＨＰＦ6、Ｈ3ＰＯ4、Ｈ2ＳＯ4、ＣＦ3ＣＯＯＨ、ＣＨ3ＣＯＯＨ、ＨＣＯＯＨ又は安息香酸である。
【００１６】
特に好ましいのは、ｎが０である化合物である。
【００１７】
これらの化合物は、例えば米国特許第４，４４２，２５０号に記載の、相当するアミン前駆体（ＲがＨである）から製造してもよい。Ｘが式（II）のときは、アミン前駆体はCiba Specialty Chemicalsが販売する商品、Chimassorb（登録商標）966である。
【００１８】
米国特許第５，６５４，４３４号に記載の、過酸化水素を用いた４−ヒドロキシ−２，２，６，６−テトラメチルピペリジンの酸化と同様の方法で酸化を行ってもよい。これとは別の好適な酸化法が、国際公開第００／４０５５０号に記載されており、過酢酸を用いている。
【００１９】
これまでに述べられているように、必ずしも、すべてのピペリジン窒素原子が酸化されるまで酸化しなければならないわけではない。その前に多くの段階で停止させることが可能であり、ＮＨ、ＮＯＨ及びＮＯ・部分を含有する生成物混合物を生じる。
【００２０】
発明の主題はしたがって、酸化剤による有機溶媒中でのアルコールからケトン又はアルデヒドへの選択的酸化法であり、式（Ｉ）の均一系又は不均一系酸化触媒の存在下、酸化を実施することを含む。
発明のさらなる主題は、酸化剤による水性溶媒中でのアルコールからケトン又はカルボン酸への選択的酸化法であり、式（Ｉ）の均一系又は不均一系酸化触媒の存在下、酸化を実施することを含む。
【００２１】
式（Ｉ）の化合物を無機酸によりプロトン化し、水で洗浄することにより有機溶媒から回収できることは、有利な効果の１つである。
【００２２】
酸化剤の例として、酸素を含有する有機又は無機化合物が挙げられる。典型的な酸化剤は、過酸、例えば過酢酸、Ｈ2Ｏ2、ハイポハライト、ハライト、ハライド及び酸素自体、又はこれらの組合せなどである。
好ましいのは、中性又はアルカリ条件下、過酢酸、Ｈ2Ｏ2、ハイポハライト、ハライト、ハライド及び酸素自体若しくはそれらの組合せによるか、又はＣｕ（Ｉ）、Ｃｕ（II）、Ｒｕ（II）、Ｃｏ（II）、Ｍｎ（II）及びそれらの混合物などの金属イオンと酸化剤としての酸素による請求項４記載のアルコールからケトン若しくはアルデヒドへの、又はアルコールからカルボン酸への選択的酸化法であって、
式（Ｉ）の均一系又は不均一系酸化触媒の存在下、酸化を実施することを含むものである。
【００２３】
酸化触媒は、式（Ｉ）の化合物の混合物であってもよい。
【００２４】
酸化触媒を、用いるアルコールに基づいて、０．１〜２０重量％、より好ましくは０．５〜１０重量％、最も好ましくは０．５〜５重量％で添加することが好ましい。
【００２５】
一般的には、中性又はアルカリ性条件下でのアルカリハイポハライトによる酸化の実施を含む方法が好ましい。
【００２６】
アルカリハイポハライトとして、ＬｉＯＣｌ、ＮａＯＣｌ、ＫＯＣｌ、ＬｉＯＢｒ、ＮａＯＢｒ又はＫＯＢｒを使用する方法が好ましい。
【００２７】
ＬｉＯＣｌ、ＮａＯＣｌ及びＫＯＣｌが特に好ましく、ＮａＯＣｌがさらに特に好ましい。
【００２８】
酸化されるべきアルコールにハイポハライトを水性溶液の形態で加えるのが好ましい。濃度は広い範囲で変えてもよく、酸化されるべきアルコールに基づいて、活性塩素５〜２０重量％、特に１０〜１５重量％であることが好ましい。
【００２９】
酸化剤とともに、緩衝剤により水性溶液を中性又はアルカリ性にすることができる。好ましい緩衝剤は、アルカリ金属又はアルカリ土類金属の水酸化物、アルカリ金属又はアルカリ土類金属の炭酸塩及び相当する炭酸水素塩、ならびにアルカリ金属又はアルカリ土類金属リン酸塩及び相当する一水素及び二水素リン酸塩の水性溶液である。
【００３０】
アルカリ金属炭酸水素塩は特に好ましく、炭酸水素ナトリウムはさらに特に好ましい。
【００３１】
方法は、３０℃未満の温度、より好ましくは５〜２０℃の温度で実施するのが好ましい。
【００３２】
所望の緩衝剤を添加した後の酸化剤の水性溶液のpH値は、７〜１２の範囲、特に８〜１１の範囲、及びさらに特に８〜１０の範囲である。
【００３３】
酸化されるアルコールは、モノアルコール、ジオール又はポリオールであっても、単量体又はデンプン若しくはパルプのような重合体であっても、水溶性又は水不溶性であっても、あるいは水酸基に加え他の官能基を含む分子であってもよい。
【００３４】
液体アルコールの場合には、さらに溶媒を添加することなく反応を行うことができるが、高度な希釈物中で酸化を実施することが有利であり得る。
【００３５】
式（Ｉ）の化合物は、例えば米国特許第５，３２２，９１２号に記載されたような制御されたフリーラジカル重合において重合調節剤として、芳香族ビニルモノマーの蒸留又は精製における重合阻害剤として、あるいは難燃剤として用いてもよい。
【００３６】
調製例
実施例１
【００３７】
【化５】
2004524296.tif 000005
【００３８】
５００mlの三つ口フラスコ中に、CHIMASSORB（登録商標）９６６  ５０ｇ、トルエン２５０ml及び炭酸カリウム４２ｇを加えた。不均一な混合物を５〜１０℃で冷却し、激しく撹拌しながら酢酸中の過酢酸溶液（３５％）７２．５ｇを約１時間かけて徐々に加えた。反応混合物を５〜１０℃で２時間放置し、炭酸カリウム１０ｇを加えた。その後、温度を自然に２５℃まで上げ、２５〜３０℃でさらに２時間反応を続けた。その後、温度を５０℃まで上げ、１時間維持した。混合物をその後減圧下で濃縮し、粗生成物を水で洗浄し、真空下で乾燥させ、淡赤色の所望の生成物４４ｇを得た。ニトロキシル生成物の純度を上げるために、未反応のCHIMASSORB（登録商標）９６６をジクロロメタン中で４回繰り返して結晶化させた。その後、有機層を真空下で乾燥させ、以下の分析データを有する、淡赤色固体を得た。
融点範囲: 267-270℃
ＥＳＲによるニトロキシル収率:９５％
【００３９】
実施例２
フラスコ中に、実施例１の生成物１ｇを水中の３７％塩酸溶液１００ｇに加えた。均一な黄色溶液が得られるまで、混合物を室温で８時間撹拌した。水を蒸発させ、残った塩を真空下で乾燥させた。
【００４０】
酸化反応における触媒としての使用の例
実施例Ａ
有機溶媒におけるアルコール酸化のための均一触媒としての使用
【００４１】
【化６】
2004524296.tif 000006
【００４２】
フラスコ中に、実施例１の生成物０．０７２ｇ（０．０５mmol）、２−オクタノール２．５ｇ（１９．２mmol）、ジクロロメタン１０ml及びＫＨＣＯ3（２０％溶液）２．８ｇを加えた。不均一な混合物を１０〜１５℃に冷却し、その後ＮａＯＣｌ水性溶液（１０．５％）１３．８ｇを滴下した。３時間後、粗有機層をＧＣで分析したところ、９８．６％の２−オクタノンを所望の生成物として得た。
【００４３】
実施例Ｂ
触媒の回収
実施例Ａにおける反応混合物の有機層を、水性相から分離し、濃塩酸（水中３７％）１０mlとともに撹拌した。３０分後、無色の有機層を、微黄色の水性相から分離した。水を蒸発させ、分離された触媒の塩を真空下で乾燥させた。
【００４４】
実施例Ｃ
有機溶媒中のアルコール酸化のための不均一触媒としての使用
【００４５】
【化７】
2004524296.tif 000007
【００４６】
フラスコ中に、実施例１の生成物０．０７２ｇ（０．０５mmol）、２−オクタノール２．５ｇ（１９．２mmol）、トルエン１０ml、及びＫＨＣＯ3（２０％溶液）２．８ｇを加えた。不均一な混合物を１０〜１５℃に冷却し、その後ＮａＯＣｌの水性溶液（１０．５％）１３．２ｇを加えた。２時間後、粗有機層をＧＣ及び1Ｈ−、13Ｃ−ＮＭＲで分析したところ、１００％の２−オクタノンが所望の生成物として得られた。触媒は、粗反応混合物を濾過することにより回収した。
【００４７】
実施例Ｄ
有機溶媒中の第一級アルコールの選択的酸化のための不均一触媒としての使用
【００４８】
【化８】
2004524296.tif 000008
【００４９】
フラスコ中に、実施例１の生成物０．０６ｇ（０．０４２mmol）、２−エチル−１，３−ヘキサン−ジオール２．５ｇ（１７．１mmol）及びトルエン１０mlを加えた。不均一な混合物を１０〜１５℃に冷却し、その後ＮａＨＣＯ3の水溶液を用いてpHを８．５〜９．５に保ちながら、ＮａＯＣｌ水溶液（１３％）９．８ｇを滴下した。２時間後、粗有機層をＧＣ及び1Ｈ−13Ｃ−ＮＭＲで分析したところ、７７％の２−エチル−３−ヒドロキシ−ヘキサナールを所望の生成物として得た。粗反応混合物を濾過することにより触媒を回収した。
【００５０】
実施例Ｅ
水中のアルコールの酸化のための不均一触媒としての使用
【００５１】
【化９】
2004524296.tif 000009
【００５２】
フラスコ中に、実施例１の生成物０．０２ｇ（０．０１４mmol）、メチル−α−Ｄ−グルコピラノシド０．１９５ｇ（１．０mmol）及び水１０mlを加えた。混合物を室温に維持し、その後ＮａＯＨの０．１２Ｍ溶液を用いてpHを９．５に保ちながらＮａＯＣｌの水性溶液（０．５Ｍ）８mlを滴下した。２４時間後、粗有機層をＨＰＬＣで分析したところ、９６％のカルボキシ酸を所望の生成物として得た。粗反応混合物を濾過することにより、触媒を回収した。
【００５３】
実施例Ｅ
水中のアルコールの酸化のための均一触媒としての使用
【００５４】
【化１０】
2004524296.tif 000010
【００５５】
フラスコ中に、実施例２の生成物０．３０ｇ（０．２mmol）、ジエチレングリコールモノメチルエーテル２．５ｇ（２０．８mmol）及び水１０mlを加えた。混合物を１０〜１５℃に冷却し、その後ＫＨ2ＰＯ4の水溶液を用いてpHを６〜７に保ちながらＮａＯＣｌの水溶液（１３％）４８ｇを滴下した。４時間後、粗溶液をＧＣ及び1Ｈ−及び13Ｃ−ＮＭＲで分析したところ、９５％のカルボン酸を所望の生成物として得た。触媒は、pH＞８で沈殿させ、反応混合物を濾過することにより回収した。
【００５６】
実施例Ｆ
溶媒非存在下におけるアルコールの酸化のための触媒としての使用
【００５７】
【化１１】
2004524296.tif 000011
【００５８】
フラスコ中に、２−オクタノール１２５μl（０．８mmol）、実施例１の生成物３．２mg（８μmol）及びＮａＯＣｌ溶液２．８６ml（０．３５Ｍ；１．０mmol；ＫＨＣＯ3でpH９．１とする）を加えた。混合物を激しく撹拌しながら室温に維持した。１時間後、粗有機層をＧＣで分析したところ、１００％の２−オクタノンを所望の生成物として得た。粗反応混合物を濾過することにより触媒を回収した。
【国際公開パンフレット】
2004524296.tif 000014
2004524296.tif 000015
2004524296.tif 000016
2004524296.tif 000017
2004524296.tif 000018
2004524296.tif 000019
2004524296.tif 000020
2004524296.tif 000021
2004524296.tif 000022
2004524296.tif 000023
2004524296.tif 000024
2004524296.tif 000025
2004524296.tif 000026
【国際調査報告】
2004524296.tif 000027
2004524296.tif 000028
2004524296.tif 000029